(57)【要約】【課題】ユーザが実際に使用頻度の高い機能項目の組み合わせを把握した上で，所望の機能項目の組み合わせを通常の設定作業の流れの中で容易に登録することのできる情報処理装置を提供すること。【解決手段】複数の機能項目についての設定が行われる際に，その設定される機能項目の組み合わせ毎の使用頻度を算出しておき，その複数の機能項目についての設定が行われた後，該機能項目のうちの少なくとも二以上により構成される組み合わせを，その使用頻度の高い順で表示させる。そして，その表示された機能項目の組み合わせのいずれかを所定の操作入力に応じて選択し，該選択された前記機能項目の組み合わせを登録するように構成される。【選択図】図５
2011096049.tif 000002
【特許請求の範囲】
【請求項１】
当該情報処理装置の動作に関する複数の機能項目についての設定を所定の操作入力に応じて行う第一の動作設定手段と，予め登録された前記機能項目の組み合わせに含まれた前記機能項目各々についての設定を所定の操作入力に応じて行う第二の動作設定手段とを備えてなる情報処理装置であって，
前記第一の動作設定手段によって設定される前記機能項目の組み合わせ毎の使用頻度を算出する使用頻度算出手段と，
前記第一の動作設定手段によって複数の前記機能項目についての設定が行われた後，該機能項目のうちの少なくとも二以上により構成される組み合わせを，前記使用頻度算出手段によって算出された使用頻度の高い順で表示する使用頻度順表示手段と，
前記使用頻度順表示手段によって表示された前記機能項目の組み合わせのいずれかを所定の操作入力に応じて選択し，該選択された前記機能項目の組み合わせを，前記第二の動作設定手段で設定される前記機能項目の組み合わせとして登録するプログラム機能項目登録手段と，
を備えてなることを特徴とする情報処理装置。
【請求項２】
前記プログラム機能項目登録手段が，所定の選択操作に基づいて，前記機能項目の組み合わせに含まれた前記機能項目のうち一又は複数の機能項目については前記第一の動作設定手段による設定内容を保持し，他の一又は複数の機能項目については前記第一の動作設定手段による設定内容を保持しないものであって，
前記第二の動作設定手段が，前記機能項目のうち前記設定内容保持手段により設定内容が保持された機能項目については該設定内容に自動設定し，前記設定内容保持手段により設定内容が保持されていない機能項目については所定の操作入力に応じて設定を行うものである請求項１に記載の情報処理装置。
【請求項３】
当該情報処理装置を使用するユーザを認証するユーザ認証手段を更に備えてなり，
前記使用頻度算出手段が，前記第一の動作設定手段によって設定される前記機能項目の組み合わせ毎の使用頻度を前記ユーザ毎について算出するものであり，
前記使用頻度順表示手段が，前記第一の動作設定手段によって複数の前記機能項目についての設定が行われた後，該機能項目のうちの少なくとも二以上により構成される組み合わせを，現在ログイン中の前記ユーザについて前記使用頻度算出手段によって算出された使用頻度の高い順で表示するものである請求項１又は２のいずれかに記載の情報処理装置。
【請求項４】
前記第二の動作設定手段が，前記機能項目各々を順に表示させ，所定の操作入力に応じて該機能項目各々についての設定を順に行う一連の動作設定処理を行うものである請求項１〜３のいずれかに記載の情報処理装置。
【請求項５】
前記情報処理装置が，前記動作として画像形成処理，画像読取処理，画像送信処理のいずれか一つ又は複数を実行する画像処理装置である請求項１〜４のいずれかに記載の情報処理装置。
【発明の詳細な説明】
【技術分野】
【０００１】
本発明は，ユーザ操作によって行われる各種の機能項目についての設定に従って各種動作を実行する情報処理装置に関し，特に，その機能項目の設定に要するユーザ操作の手間を軽減するための技術に関するものである。
【背景技術】
【０００２】
一般に，複合機など（情報処理装置の一例）において，原稿の複写処理や原稿から読み取った画像データの送信処理などの各種動作を実行する際には，その動作に関する複数の機能項目についての設定がユーザ操作によって行われる。例えば，複合機において原稿の複写処理を行う場合には，「拡大・縮小」，「濃度調節」，「給紙カセット」，「集約」，「両面」，「ステープラー」，「印刷枚数」などの各種の機能項目についての設定が行われる。
このとき，ユーザが日常的に同じような機能項目の組み合わせについて設定を行う頻度が高い場合でも，該機能項目各々について個別に選択して順に設定する必要があるとすると，その設定操作がユーザにとって煩わしいものとなる。
そこで，例えば特許文献１には，ユーザが設定する機能項目の組み合わせを予め登録しておくことのできる画像処理装置が開示されている。前記特許文献１に係る発明によれば，ユーザは，予め登録された順に表示される機能項目について設定作業を行えばよいため，該機能項目各々を個別に選択して設定する場合に比べて設定操作の手間が軽減される。
【先行技術文献】
【特許文献】
【０００３】
【特許文献１】特開２００７−３１２１０１号公報
【発明の概要】
【発明が解決しようとする課題】
【０００４】
しかしながら，前記特許文献１に係る発明では，通常使用時とは異なる手順で，予め機能項目の組み合わせを登録するための登録作業を行っておく必要があり，その特別な登録作業がユーザに手間をかけるという問題点がある。また，ユーザは，登録する機能項目の組み合わせを，使用頻度が高いであろうという自己の感覚で決めると考えられるが，その判断が間違っていることも考えられる。そのため，登録した機能項目の組み合わせの使用頻度が思ったよりも低い場合もあり，実際に使用頻度が高い機能項目の組み合わせとなるまでに，ユーザが登録作業を何度も繰り返すことになるおそれがある。
従って，本発明は上記事情に鑑みてなされたものであり，その目的とするところは，ユーザが実際に使用頻度の高い機能項目の組み合わせを把握した上で，所望の機能項目の組み合わせを通常の設定作業の流れの中で容易に登録することのできる情報処理装置を提供することにある。
【課題を解決するための手段】
【０００５】
上記目的を達成するために本発明は，当該情報処理装置の動作に関する複数の機能項目についての設定を所定の操作入力に応じて行う第一の動作設定手段と，予め登録された前記機能項目の組み合わせに含まれた前記機能項目各々についての設定を所定の操作入力に応じて行う第二の動作設定手段とを備えてなる情報処理装置に適用されるものであって，前記第一の動作設定手段によって設定される前記機能項目の組み合わせ毎の使用頻度を算出する使用頻度算出手段と，前記第一の動作設定手段によって複数の前記機能項目についての設定が行われた後，該機能項目のうちの少なくとも二以上により構成される組み合わせを，前記使用頻度算出手段によって算出された使用頻度の高い順で表示する使用頻度順表示手段と，前記使用頻度順表示手段によって表示された前記機能項目の組み合わせのいずれかを所定の操作入力に応じて選択し，該選択された前記機能項目の組み合わせを，前記第二の動作設定手段で設定される前記機能項目の組み合わせとして登録するプログラム機能項目登録手段とを備えてなることを特徴とする情報処理装置として構成される。具体的に，前記情報処理装置は，前記動作として画像形成処理，画像読取処理，画像送信処理のいずれか一つ又は複数を実行する画像処理装置であることが考えられる。
なお，前記第二の動作設定手段は，前記機能項目各々を順に表示させ，所定の操作入力に応じて該機能項目各々についての設定を順に行う一連の動作設定処理を行うものであることが考えられる。
本発明によれば，ユーザは，前記第一の動作設定手段によって複数の前記機能項目についての設定を行った後，該機能項目のうちの少なくとも二以上により構成される組み合わせが，前記使用頻度算出手段によって算出された使用頻度の高い順で表示された状態で，前記機能項目の組み合わせを選択することにより，所望の前記機能項目の組み合わせを容易に登録することができる。
【０００６】
また，前記プログラム機能項目登録手段は，所定の選択操作に基づいて，前記機能項目の組み合わせに含まれた前記機能項目のうち一又は複数の機能項目については前記第一の動作設定手段による設定内容を保持し，他の一又は複数の機能項目については前記第一の動作設定手段による設定内容を保持しないものであることが考えられる。そして，前記第二の動作設定手段は，前記機能項目のうち前記設定内容保持手段により設定内容が保持された機能項目については該設定内容に自動設定し，前記設定内容保持手段により設定内容が保持されていない機能項目については所定の操作入力に応じて設定を行うものであることが考えられる。
このような構成によれば，ユーザは前記機能項目の組み合わせに含まれた機能項目のうち基本的に変更が不要なものについてはその設定操作を省略し，変更することが多いものについてのみ任意に設定操作を行うことができ，利便性が向上する。
【０００７】
ところで，前記使用頻度算出手段は，前記情報処理装置全体における使用頻度を算出するものであってもよいが，該情報処理装置を複数のユーザによって使用する場合には，そのユーザ毎に前記機能項目の組み合わせ毎の使用頻度は異なると考えられる。
そこで，当該情報処理装置を使用するユーザを認証するユーザ認証手段を更に備えてなる構成では，前記使用頻度算出手段が，前記第一の動作設定手段によって設定される前記機能項目の組み合わせ毎の使用頻度を前記ユーザ毎について算出するものであることが考えられる。この場合，前記使用頻度順表示手段は，前記第一の動作設定手段によって複数の前記機能項目についての設定が行われた後，該機能項目のうちの少なくとも二以上により構成される組み合わせを，現在ログイン中の前記ユーザについて前記使用頻度算出手段によって算出された使用頻度の高い順で表示するものであることが考えられる。これにより，ユーザは，自己に適した前記機能項目の組み合わせを容易に把握した上で，登録する前記機能項目の組み合わせを選択することができる。
【発明の効果】
【０００８】
本発明によれば，ユーザは，実際に使用頻度の高い機能項目の組み合わせを把握した上で，所望の前記機能項目の組み合わせを前記第一の動作設定手段による通常の設定作業の流れの中で容易に登録することができる。
【図面の簡単な説明】
【０００９】
【図１】本発明の実施の形態に係る複合機Ｘの概略構成を示すブロック図。
【図２】本発明の実施の形態に係る複合機Ｘに設けられたタッチパネル１１の模式図。
【図３】本発明の実施の形態に係る複合機Ｘで実行される動作設定処理の手順の一例を説明するための図。
【図４】動作設定処理において設定される機能項目の組み合わせの一例を示す図。
【図５】動作設定処理において機能項目の組み合わせを登録するための登録画面の一例を示す図。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
本発明の実施の形態に係る複合機Ｘは，画像形成処理，画像読取処理，画像送信処理のいずれか一つ又は複数を実行する画像処理装置の一例であって，本発明に係る情報処理装置に該当する。
なお，本発明は，その他，画像形成処理を実行する複写機やプリンタ装置（画像形成装置），画像読取処理を実行するスキャナ装置（画像読取装置），画像送信処理を実行するファクシミリ装置（画像送信装置），電子メールを送信するパソコンなどの情報処理装置にも適用可能である。
【００１１】
まず，図１のブロック図を用いて，前記複合機Ｘの概略構成について説明する。
図１に示すように，前記複合機Ｘは，操作表示部１，画像読取部２，画像メモリ３，画像処理部４，画像形成部５，及びこれらを統括的に制御する制御部６などを備えて概略構成されている。
前記制御部６は，ＣＰＵやＲＯＭ，ＲＡＭ等を有しており，該ＲＯＭに格納された制御プログラムに従った処理がＣＰＵで実行されることにより当該複合機Ｘを統括的に制御するものである。
具体的に，前記制御部６は，前記操作表示部１に対するユーザの操作入力により該操作表示部１から入力される操作信号に従って，当該複合機Ｘにおける複写処理などの各種動作を実行する。また，前記制御部６は，後述する動作設定処理（図３のフローチャート参照）を実行する。
【００１２】
前記画像読取部２は，不図示の原稿台にセットされた原稿の画像情報を読み取るものであって，ＣＣＤ（Charge Coupled Device）やＣＩＳ（Contact Image Sensor）等のイメージセンサを備えている。前記画像読取部２は，原稿台にセットされた原稿を走査することにより，前記原稿の画像をライン毎に読み取り，画像データとしてデジタルデータ化して前記画像メモリ３に記憶させる。
前記画像メモリ３は，ＥＥＰＲＯＭなどの読み書き可能な不揮発性半導体メモリである。なお，前記複合機ＸがＬＡＮ等のネットワークを介してパソコン等の情報処理装置と接続可能なものである場合は，その情報処理装置から転送された画像データも前記画像メモリ３に格納される。
前記画像処理部４は，前記画像メモリ３に記憶された画像データに対して各種の画像処理を施すことにより，前記画像形成部５の印刷形式に対応した画像データに変換し，該画像形成部５に出力する。
前記画像形成部５は，前記画像処理部４から入力された画像データに応じた可視像（例えばトナー像）を記録紙に転写させて定着させる画像形成処理を実行するものである。具体的に，前記画像形成部５には，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置など，電子写真方式の画像形成装置が備える周知の各種装置が設けられている。
【００１３】
前記操作表示部１は，タッチパネル１１，テンキー１２，スタートキー１３，プログラムキー１４などの各種操作部を有している。前記タッチパネル１１，前記テンキー１２，前記スタートキー１３，前記プログラムキー１４各々は，ユーザによって操作されることによりその操作に対応する信号を前記制御部６に入力する。
前記タッチパネル１１は，前記複合機Ｘの各種操作に対応するタッチキーの画像を表示する表示パネルや該表示パネルの表示画面における前記タッチキーの操作を検知する検知パネルを有している。なお，前記テンキー１２や前記スタートキー１３，前記プログラムキー１４は，前記タッチパネル１１と別に設けられるハードウェアキーに限らず，前記タッチパネル１１上にタッチキーとして設けられたものであってもよい。
前記テンキー１２は，複写枚数などの数字入力時に用いられ，前記スタートキー１３は，前記複合機Ｘにおける複写処理やスキャン処理などの各種動作の開始時に用いられる。
また，前記プログラムキー１４は，前記複合機Ｘの動作に関する複数の機能項目のうち予め登録された複数の機能項目からなる組み合わせについて，その組み合わせに含まれた機能項目についての設定を一連の動作設定処理で行うために用いられる。なお，前記プログラムキー１４は複数設けられていてもよく，その場合には該プログラムキー１４ごとに異なる機能項目の組み合わせを登録しておくことが可能である。
【００１４】
ここに，図２は，前記タッチパネル１１の表示例を示す図である。
図２に示すように，前記タッチパネル１１には，前記複合機Ｘの動作に関する複数の機能項目に対応するタッチキー（以下「機能項目キー」と称する）Ｋ１〜Ｋ６などが具現されている。前記機能項目キーＫ１〜Ｋ６は，「拡大・縮小」，「濃度調節」，「給紙カセット」，「集約」，「両面」，「ステープラー」の各機能項目に対応している。
なお，これらは単なる例示に過ぎず，前記複合機Ｘでは，「カラー／モノクロ」や「部数」，「用紙サイズ」その他一般に複合機が有する各種の機能項目の設定が可能である。例えば，前記複合機Ｘにおけるファクシミリ処理については，「宛先」や「解像度」などであること，スキャナ処理については，「ファイル形式」や「解像度」などであることが考えられる。
【００１５】
そして，ユーザにより前記機能項目キーＫ１〜Ｋ６が操作されると，その操作信号が前記制御部６に入力され，該制御部６は，その機能項目キーＫ１〜Ｋ６に対応する機能項目についての詳細な設定画面を前記操作表示部１に表示させる。
その後，前記制御部６は，ユーザによる前記操作表示部１の操作に応じてその機能項目についての設定を行い，前記スタートキー１３の操作に応じて複写処理やスキャン処理などの各種動作を実行する。このように，当該複合機Ｘの動作に関する複数の機能項目についての設定をユーザによる前記操作表示部１への所定の操作入力に応じて行うときの前記制御部６が第一の動作設定手段に相当する。
【００１６】
一方，前記制御部６は，前記プログラムキー１４が操作されると，該プログラムキー１４に対応して予め登録された機能項目の組み合わせに含まれた機能項目各々についての設定を，ユーザによる前記操作表示部１への所定の操作入力に応じて行う。ここに，係る設定処理を実行するときの前記制御部６が第二の動作設定手段に相当する。
前記複合機Ｘは，前記制御部６によって実行される後述の動作設定処理（図３のフローチャート参照）において，前記プログラムキー１４に対応する機能項目の組み合わせを登録する手法に特徴を有している。
【００１７】
以下，図３のフローチャートに従って，前記複合機Ｘにおいて前記制御部６によって実行される動作設定処理の手順の一例について説明する。なお，図中のＳ１０，Ｓ２０，…は処理手順（ステップ）の番号を表している。
（ステップＳ１０，Ｓ２０，Ｓ４０）
ステップＳ１０，Ｓ２０，Ｓ４０において，前記制御部６は，前記プログラムキー１４，前記機能項目キーＫ１〜Ｋ６，前記スタートキー１３の操作を待ち受ける（Ｓ１０，Ｓ２０，Ｓ４０各々のＮｏ側）。
ここで，前記プログラムキー１４が操作されたと判断されると（Ｓ１０のＹｅｓ側），処理はステップＳ１１に移行し，前記機能項目キーＫ１〜Ｋ６が操作されたと判断されると（Ｓ２０のＹｅｓ側），処理はステップＳ３０に移行する。
また，前記スタートキー１３が操作されたと判断されると（Ｓ４０のＹｅｓ側），処理はステップＳ５０に移行する。なお，前記ステップＳ４０の処理は，前記複合機Ｘの動作に関する動作設定の完了／未完了を判断するものであり，例えば前記スタートキー１３とは別に動作設定を確定させるための確定キーを設けておき，該確定キーの操作の有無を判断するものであってもよい。
【００１８】
（ステップＳ３０）
前記機能項目キーＫ１〜Ｋ６が操作されると（Ｓ２０のＹｅｓ側），続くステップＳ３０において，前記制御部６は，前記ステップＳ２で選択された前記機能項目キーＫ１〜Ｋ６に対応する機能項目についての設定画面を前記操作表示部１に表示させ，前記操作表示部１のタッチパネル１１やテンキー１２に対するユーザ操作に従ってその内容を設定する。このとき，前記制御部６は，前記複合機Ｘにおける前回の複写処理やスキャン処理などの動作の実行後，次に前記スタートキー１３が操作されて動作が行われるまでの間の設定事項，即ち今回の動作について設定された機能項目及びその設定内容を内部メモリなどに記憶する。
その後，前記機能項目についての設定が終了すると，前記制御部６は，前記操作表示部１のタッチパネル１１の表示を前記機能項目の選択前の画面に戻し，処理を前記ステップＳ４０に移行させる。これにより，前記スタートキー１３が操作されるまでの間は，前記ステップＳ２０〜Ｓ３０において各種の機能項目についての設定が行われる。例えば，図４（ａ）〜（ｄ）には，その設定される機能項目の組み合わせの一例が示されている。
【００１９】
（ステップＳ５０）
そして，前記スタートキー１３が操作されると（Ｓ４０のＹｅｓ側），前記制御部６は，ステップＳ５０において，これまでに前記複合機Ｘにおいて設定された前記機能項目の組み合わせ毎の使用頻度を算出し，内部メモリなどに記憶する。ここに，係る使用頻度の算出処理を実行するときの前記制御部６が使用頻度算出手段に相当する。
例えば，前記制御部６は，前記複合機Ｘにおいて行われる各種動作ごとに，過去に行われた動作回数の合計及びその動作の際に設定された前記機能項目の組み合わせに関する情報を蓄積して記憶しており，該動作回数の合計に対する前記機能項目の組み合わせ毎の比率を前記使用頻度として算出することが考えられる。これにより，例えば複写処理，スキャン処理，ファクシミリ処理などの各動作ごとに過去に設定された前記機能項目の組み合わせの使用頻度が算出される。
【００２０】
（ステップＳ６０〜Ｓ７０）
その後，ステップＳ６０において，前記制御部６は，今回の設定内容を前記プログラムキー１４に対応する前記機能項目の組み合わせとして登録するか否かの問い合わせを前記操作表示部１に表示させる。
そして，ステップＳ７０において，前記制御部６は，前記操作表示部１に対するユーザ操作により，前記機能項目の組み合わせを登録することが必要であることが選択されたか否かを判断する。
ここで，登録を行うことが選択された場合には（Ｓ７０のＹｅｓ側），処理はステップＳ８０に移行する。なお，前記プログラムキー１４が複数設けられる場合には，その中から登録の対象となる前記プログラムキー１４を選択するための処理も実行される。他方，登録を行わないことが選択された場合には（Ｓ７０のＮｏ側），処理は後述のステップＳ１２０に移行する。
【００２１】
（ステップＳ８０〜Ｓ９０）
ステップＳ８０では，前記制御部６は，今回の動作について設定された前記機能項目の組み合わせのうちの少なくとも二以上により構成される組み合わせ各々を，前記ステップＳ５０で算出された使用頻度の高い順で，前記操作表示部１に表示させる。ここに，係る表示処理を実行するときの前記制御部６が使用頻度順表示手段に相当する。例えば，図４（ａ）に示したように，「拡大・縮小」，「濃度調節」，「給紙カセット」，「集約」の４つの機能項目についての設定が行われていた場合には，図５に示すように，これらの機能項目のうちの二以上により構成される合計１１通りの組み合わせ各々に対応するタッチキーＫ１１，Ｋ１２，…が，その使用頻度が高い順に表示されることとなる。
次に，前記制御部６は，ステップＳ９０において，前記操作表示部１のユーザ操作により前記ステップＳ８０で表示された組み合わせに対応する前記タッチキーＫ１１，Ｋ１２…のいずれかが選択されるまで待ち受ける（Ｓ９０のＮｏ側）。そして，ユーザ操作により前記組み合わせのいずれかが選択されると（Ｓ９０のＹｅｓ側），処理はステップＳ１００に移行する。
【００２２】
（ステップＳ１００）
ステップＳ１００では，前記制御部６は，前記ステップＳ８０で表示された前記機能項目の組み合わせのいずれかを前記ステップＳ９０におけるユーザによる前記タッチキーＫ１１，Ｋ１２，…の操作に応じて選択し，該選択された前記機能項目の組み合わせを，前記プログラムキー１４が操作された場合に実行される一連の動作設定処理（後述のＳ１１〜Ｓ１３）で設定すべき前記機能項目の組み合わせとして登録する。ここに，係る登録処理を実行するときの前記制御部６がプログラム機能項目登録手段に相当する。
【００２３】
（ステップＳ１１０）
続いて，ステップＳ１１０において，前記制御部６は，前記ステップＳ１００で登録された組み合わせに含まれた前記機能項目各々について，今回の動作について前記ステップＳ３０で設定された設定内容を保持するか否かを登録するための処理を実行する。
具体的に，前記制御部６は，前記ステップＳ１００で登録された前記機能項目の組み合わせに含まれた前記機能項目各々について，前記ステップＳ３０で設定された設定内容を保持するもの又は保持しないものを選択させるための選択画面を前記操作表示部１のタッチパネル１１に表示させる。そして，前記制御部６は，前記操作表示部１のタッチパネル１１のユーザ操作に基づいて，前記機能項目の組み合わせに含まれた前記機能項目のうち前記設定内容を保持するものとして選択された一又は複数の前記機能項目についてはその設定内容を保持し，他の一又は複数の前記機能項目についてはその設定内容を保持しないように処理を実行する。なお，当該ステップＳ１１０の処理を省略し，全ての機能項目についての設定内容を保持すること，或いは全ての機能項目についての設定内容を保持しないことも他の実施例として考えられる。
【００２４】
（ステップＳ１２０）
そして，前記制御部６は，ステップＳ１２０において，今回の動作について前記ステップＳ３０や後述のステップＳ１２で設定された各種機能項目の設定内容に従って複写動作などの各種動作を実行する。
なお，前記ステップＳ１２０の処理は前記ステップＳ４０や後述のステップＳ１３において動作設定が完了したと判断された時点で実行されるものであってもよい。この場合，前記制御部６は，前記ステップＳ１２０で開始される動作と前記ステップＳ５０〜Ｓ１１０における登録処理とを並行して実行することが考えられる。
【００２５】
（ステップＳ１１〜Ｓ１３）
続いて，前記ステップＳ１０において前記プログラムキー１４が操作された場合（Ｓ１０のＹｅｓ側）に実行されるステップＳ１１〜Ｓ１３について説明する。
前記プログラムキー１４が操作されると（Ｓ１０のＹｅｓ側），前記制御部６は，続くステップＳ１１において，該プログラムキー１４に対応して予め登録された前記機能項目の組み合わせを順次表示させ，ステップＳ１２において，前記操作表示部１に対するユーザ操作に応じてその表示中の機能項目についての設定を行う一連の動作設定処理を実行する。
例えば，前記制御部６は，前記ステップＳ１１において，前記ステップＳ１１０で既定の設定内容を保持するものとして登録された一又は複数の機能項目についてはその既定の設定内容に自動設定し，前記ステップＳ１１０で既定の設定内容を保持しないものとして登録された一又は複数の機能項目については，その設定内容を入力するための操作画面を表示させ，ユーザによる前記操作表示部１の操作に応じてその設定を行う。これにより，ユーザは，その操作画面に従って前記機能項目各々についての設定を容易に行うことができる。なお，前記機能項目の設定順序は，前記機能項目の組み合わせを設定した時に行われた設定順序と同様であることが考えられる。もちろん，既定の設定内容を保持するものとして登録された一又は複数の機能項目について，その既定の設定内容に設定することについてユーザによる確認操作を要するものであってもよい。
なお，前記ステップＳ１１〜Ｓ１２における設定手法は，前記機能項目各々の設定画面を順次自動的に表示させる一連の動作設定処理によるものに限らず，前記操作表示部１の表示画面に予め登録された組み合わせに含まれた機能項目のみを一覧表示させることにより任意に設定を行うことが可能なものであってもよい。
【００２６】
その後，前記制御部６は，ステップＳ１３において，前記プログラムキー１４に対応するものとして予め登録された組み合わせに含まれた全ての前記機能項目についての設定が完了したか否かを判断する。例えば，前記制御部６は，順番が最後の機能項目の設定が終了したことや，動作設定の完了時に操作される確定操作用のキーの操作に応じて動作設定の完了と判断する。
そして，予め登録された全ての前記機能項目についての設定が完了したと判断すると，処理は前記ステップＳ１２０に移行し，該機能項目各々の設定内容に従って複写処理などの各種動作が実行される。
【００２７】
以上説明したように，前記複合機Ｘでは，ユーザは，前記タッチパネル１１や前記テンキー１２などを用いて複数の前記機能項目についての設定を行った後，該機能項目のうちの少なくとも二以上により構成される組み合わせが，その使用頻度の高い順で表示された状態で，前記機能項目の組み合わせを選択することにより，前記プログラムキー１４に対応する前記機能項目の組み合わせを登録することができる。従って，ユーザは，前記複合機Ｘを通常に使用する際の設定作業の流れの中で，実際に使用頻度の高い機能項目の組み合わせを把握しつつ，所望の前記機能項目の組み合わせを容易に登録することができる。
【実施例】
【００２８】
ところで，前記実施の形態で説明した前記動作設定処理において，前記ステップＳ５０で実行される使用頻度の算出処理は，前記複合機Ｘにおける全体の使用頻度を算出するものであってもよいが，これに限らない。
具体的には，前記複合機Ｘが，複数のユーザにより使用されるものであって，その使用するユーザを認証するユーザ認証機能（ユーザ認証手段）を備える構成では，前記ステップＳ５０において，そのユーザ毎に前記機能項目の組み合わせ毎の使用頻度を算出することが望ましい。なお，前記ユーザ認証機能は，例えばユーザＩＤ及びパスワードによる認証やカードリーダによる認証など従来周知の認証技術を用いたものであってよい。
この場合，前記ステップＳ８０では，今回の動作について設定された複数の機能項目の組み合わせのうち二以上の機能項目からなる組み合わせ各々を，現在ログイン中のユーザによる使用頻度が高い順に表示させることが可能である。即ち，前記複合機Ｘでは，ユーザ毎に前記プログラムキー１４の操作時に行われる一連の動作設定処理（Ｓ１１〜Ｓ１３）で設定される機能項目が異なることとなる。
これにより，ユーザは自己による使用頻度の高い前記機能項目の組み合わせを容易に把握した上で，前記プログラムキー１４に対応する前記機能項目の組み合わせを登録することができる。
【符号の説明】
【００２９】
１：操作表示部
１１：タッチパネル
１２：テンキー
１３：スタートキー
１４：プログラムキー
２：画像読取部
３：画像メモリ
４：画像処理部
５：画像形成部
６：制御部
Ｋ１〜Ｋ６…タッチキー
Ｋ１１〜Ｋ１５…タッチキー
Ｓ１０，Ｓ２０，…Ｓ１２０：処理手順（ステップ）番号
【図１】
2011096049.tif 000003
【図２】
2011096049.tif 000004
【図３】
2011096049.tif 000005
【図４】
2011096049.tif 000006
【図５】
2011096049.tif 000007